(57)【要約】【課題】操作者が手で触れるおそれがない医療用スタンドベースの車輪構造を提供する。【解決手段】モータ３７により上下動するロック手段２２で車輪９のロック及び解除が行える。電動のため、そのスイッチ手段３８をスタンド装置１の手押しハンドル８に設置することができ、操作者が不衛生なベース２付近に触れるおそれがない。ロック手段２２が水平方向で近接・離反するスライダ２７、２８を利用した構造のため、ロック手段２２の上下寸法が小さくて済みベース２の内部に組み込み易い。【選択図】図２
2017202698.tif 000002
【特許請求の範囲】
【請求項１】
医療用スタンド装置を支持するベースの下部に設けられる垂直軸と、水平軸を中心に自転自在で且つ前記垂直軸に対して該垂直軸を中心に公転自在に取付けられた車輪とを有する医療用スタンドベースの車輪構造であって、
前記垂直軸に上下動自在で且つ下降時に車輪の全ての公転位置で車輪の上端に当接して車輪をロック自在なロック手段を設け、
該ロック手段がベースに設けた電動手段により上下に駆動自在であると共に、該電動手段をベース外に設けられたスイッチ手段により操作自在であることを特徴とする医療用スタンドベースの車輪構造。
【請求項２】
ロック手段が、垂直軸に上下動自在に装着され且つ上面にテーパが形成されたフランジを上端部において全周に有する筒体と、筒体を上方へ付勢する付勢手段と、電動手段により水平方向で近接・離反移動自在で前記テーパに対して摺動する一対のスライダを有し、
該スライダの近接・離反いずれか一方側への移動時にテーパとの当接により筒体が下方へ押し下げられ、フランジが車輪の上端に当接することを特徴とする請求項１記載の医療用スタンドベースの車輪構造。
【請求項３】
スライダを手動により移動可能にする手動手段が設けられていることを特徴とする請求項１又は請求項２記載の医療用スタンドベースの車輪構造。
【請求項４】
スイッチ手段が医療用スタンド装置の手押しハンドルに設置されていることを特徴とする請求項１〜３のいずれか１項に記載の医療用スタンドベースの車輪構造。
【発明の詳細な説明】
【技術分野】
【０００１】
本発明は医療用スタンドベースの車輪構造に関するものである。
【背景技術】
【０００２】
従来より、医療用スタンド装置の下部に位置するベースは、本来的に装置を立てた状態で支持する役目と共に装置全体を床面に対して移動させる役目も有する。そのためベースには複数の車輪が設けられている。ベースには車輪をロックする手動或いは足踏み式のロック機構が設けられている（例えば、特許文献１参照）。
【先行技術文献】
【特許文献】
【０００３】
【特許文献１】特開２００９−１２６００号公報
【発明の概要】
【発明が解決しようとする課題】
【０００４】
しかしながら、このような従来の技術にあっては、ロック機構がベース自体に設けられていたため、仮に足踏み式であっても操作者が誤ってロック機構を手で触ってしまうおそれがある。ベース付近は衛生的には不潔な部分であるため、この部分を手で触れることは医療機器において好ましくない。
【０００５】
本発明はこのような従来の技術に着目してなされたものであり、操作者が手で触れるおそれがない医療用スタンドベースの車輪構造を提供することを目的としている。
【課題を解決するための手段】
【０００６】
本発明の第１の技術的側面によれば、医療用スタンド装置を支持するベースの下部に設けられる垂直軸と、水平軸を中心に自転自在で且つ前記垂直軸に対して該垂直軸を中心に公転自在に取付けられた車輪とを有する医療用スタンドベースの車輪構造であって、前記垂直軸に上下動自在で且つ下降時に車輪の全ての公転位置で車輪の上端に当接して車輪をロック自在なロック手段を設け、該ロック手段がベースに設けた電動手段により上下に駆動自在であると共に、該電動手段をベース外に設けられたスイッチ手段により操作自在であることを特徴とする。
【０００７】
本発明の第２の技術的側面によれば、ロック手段が、垂直軸に上下動自在に装着され且つ上面にテーパが形成されたフランジを上端部において全周に有する筒体と、筒体を上方へ付勢する付勢手段と、電動手段により水平方向で近接・離反移動自在で前記テーパに対して摺動する一対のスライダを有し、該スライダの近接・離反いずれか一方側への移動時にテーパとの当接により筒体が下方へ押し下げられ、フランジが車輪の上端に当接することを特徴とする。
【０００８】
本発明の第３の技術的側面によれば、スライダを手動により移動可能にする手動手段が設けられていることを特徴とする。
【０００９】
本発明の第４の技術的側面によれば、スイッチ手段が医療用スタンド装置の手押しハンドルに設置されていることを特徴とする。
【発明の効果】
【００１０】
本発明の第１の技術的側面によれば、電動手段により上下動するロック手段で車輪のロック及び解除が行える。電動のためそのスイッチ手段をベースの外部の衛生的な位置に設置でき、操作者が不衛生なベース付近に触れるおそれがない。
【００１１】
本発明の第２の技術的側面によれば、ロック手段が水平方向で近接・離反するスライダを筒体のフランジのテーパに摺動させてフランジを押し下げる構造のため、ロック手段の上下寸法が小さくて済みベースの内部に組み込み易い。
【００１２】
本発明の第３の技術的側面によれば、スライダを手動により移動可能な手動手段が設けられているため、電動手段の故障や停電等の緊急時にも車輪のロックや解除を行うことができる。尚、手動手段は緊急用のためその設置位置は問わない。
【００１３】
請求項４記載の発明によれば、スイッチ手段が医療用スタンド装置の手押しハンドルに取付けられているため、操作者は手押しハンドルを持ってスタンド装置の移動作業中に車輪のロック及び解除を行えるため便利である。
【図面の簡単な説明】
【００１４】
【図１】医療用スタンド装置を支持したベースを示す全体斜視図。
【図２】ベースの断面図。
【図３】板バネを示す斜視図。
【図４】図２中矢示ＳＡ−ＳＡ線に沿う断面図。
【図５】車輪構造の主要部を示す平面図。
【図６】車輪のフリー状態を示す断面図。
【図７】車輪のロック状態を示す断面図。
【発明を実施するための形態】
【００１５】
図１〜図７は、本発明の好適な実施形態を示す図である。
【００１６】
スタンド装置１は下部のベース２により立てた状態が維持されている。スタンド装置１は本体３に軸支された垂直アーム４と、垂直アーム４の上端に軸支された水平アーム６を有し、水平アーム６の先端に手術顕微鏡７を吊り下げ支持している。スタンド装置１の本体３には手押しハンドル８が設けられ、スタンド装置１を移動させる場合はここを持って操作できるようになっている。
【００１７】
ベース２は概略四角形状で四隅には車輪９が設けられている。ベース２の中央部以外は上側がカバー１０（図２参照）により覆われている。ベース２の四隅にはそれぞれ下側に振動防止用のクッション材１１を介して固定板１２が取付けられている。なお、ベース２の形状は四角形に限定されず他の形状でもよい。その場合も車輪９はベース２の周縁など、スタンド装置１のバランスが維持される位置に設けられる。
【００１８】
固定板１２の中央には垂直軸１３が設けられている。垂直軸１３は固定板１２と一体化され、固定板１２の下面から下方に延びている。垂直軸１３の上部１４は水平方向における両端を一部切り欠いた円板状でこの部分が固定板１２と一体化されている。垂直軸１３の下部にはベアリング（スラストベアリング）１５により垂直軸１３を中心に回転自在な連結部１６が設けられている。連結部１６は垂直軸１３の下部が挿入される穴を有し、当該穴の上側にはベアリング１５が装着される。また、連結部１６の垂直軸１３から外れた位置に水平軸１７が設けられ、該水平軸１７にベアリング１８を介して車輪９が取付けられている。従って、車輪９は水平軸１７を中心に自転自在であると共に、垂直軸１３を中心に垂直軸１３の回りを公転して向きを変更することができる。
【００１９】
車輪９の水平軸１７が垂直軸１３に対してオフセットしている（即ち水平軸１７と垂直軸１３がねじれの位置にある）ことにより、車輪９はキャスター構造となり、ベース２をＦ方向（図２参照）移動させた場合に車輪９の中心（水平軸１７）は垂直軸１３より後側になる。
【００２０】
連結部１６の前進側の端部にはフロア上の配線１９を排除するガード２０が取付けられ、後方には双輪型の車輪９の間のスペースを塞ぐスペーサ２１が取付けられている。
【００２１】
以上の車輪９の回転構造はベース２の四隅において共通だが、ベース２の４本の垂直軸１３のうち、隣り合う２本の垂直軸１３には車輪９を固定するためのロック手段２２が設けられ、ロック手段２２が設けられている方には手動ノブ２３が表面に現れている。他の２本にはロック手段２２がなく、それに対応する車輪９はロックすることができない。ベース２の全体をロックするには４つ全ての車輪９をロックする必要はなく、２つをロックすれば十分である。
【００２２】
以下ロック手段２２がある方の構造を説明する。
【００２３】
垂直軸１３の上部１４には回転軸２４が水平方向に貫通している。回転軸２４は当該回転軸２４の軸心を中心に回転自在で上部１４から露出する両側にそれぞれネジ部２５、２６が形成されている。ネジ部２５、２６は互いに逆ネジで、そこにそれぞれナット状のスライダ２７、２８が螺合されている。スライダ２７、２８は上面が固定板１２に摺動自在に当接して回転が阻止されている。スライダ２７、２８の下面は互いに内向きに傾斜したテーパ２７ａ、２８ａとなっている。
【００２４】
回転軸２４の下の垂直軸１３にはフランジ２９を上端部に有する筒体３０が上下動自在に挿通されている。フランジ２９は筒体３０の全周に形成されその上面には前記スライダ２７、２８に対応するテーパ２９ａが形成されている。
【００２５】
筒体３０の下端には付勢手段としての板バネ３１が設けられている。板バネ３１の基端はスペーサ２１と一緒に連結部１６に固定され、先端が筒体３０の下端を上方へ持ち上げている。従って、フランジ２９のテーパ２９ａは常時スライダ２７、２８のテーパ２７ａ、２８ａに当接した状態になっている。
【００２６】
回転軸２４の一端にはギア３２が取付けられている。そのギア３２は別のギア３３に噛合し、そのギア３３はベベルギア３４に連結している。ベベルギア３４は更に上下２つのベベルギア３５、３６とそれぞれ噛合している。下側のベベルギア３６はモーター３７に連結されており、上側のベベルギア３５はベース２の上方へ突出する手動ノブ２３に連結されている。モータ３７が回るとベベルギア３４、３５、３６を介して回転軸２４と手動ノブ２３が回転する。
【００２７】
スタンド装置１の本体３の手押しハンドル８にはスイッチ手段３８が設けられており、このスイッチ手段３８を操作することにより、モータ３７を正逆転方向へ回転させることができる。スイッチ手段３８ではロックと解除のいずれかを選択できるようになっている。
【００２８】
以上のフランジ２９付きの筒体３０、板バネ３１、スライダ２７、２８等によりロック手段２２が構成される。
【００２９】
モータ３７、ベベルギア３６、ギア３３、ベベルギア３４、ギア３２、回転軸２４等により「電動手段」が構成される。
【００３０】
ベベルギア３５、手動ノブ２３等により「手動手段」が構成される。
【００３１】
手術室内においてスタンド装置１を移動させる場合は、操作者は手押しハンドル８を持って押したり引いたりするが、その際に手押しハンドル８のスイッチ手段３８を解除にする。解除にすると図６のように、モータ３７の回転で回転軸２４が回転してスライダ２７、２８が違いに離反する方向へ移動する。ネジ部２５、２６が互いに逆ネジのため回転軸２４の一方への回転によりスライダ２７、２８が離反方向へ移動する。
【００３２】
スライダ２７、２８が離反する方向に移動すると、筒体３０が下から板バネ３１により持ち上げられていることにより、フランジ２９のテーパ２９ａはスライダ２７、２８のテーパ２７ａ、２８ａに対して摺動しながら上昇し、フランジ２９と車輪９の上端との間に隙間Ｓが生じる。従って車輪９は自由に回転できるようになる。
【００３３】
車輪９は水平軸１７を中心に自転自在であると共に、垂直軸１３からオフセットした状態で垂直軸１３の回りを公転自在であるため、車輪９をフリーにすると真っ直ぐだけでなくあらゆる方向に移動可能で、しかも水平軸１７がオフセットしたキャスター効果により必ずガード２０が前側になりフロア上の配線１９を排除しながら進むことができる。また車輪９の後側の空間もスペーサ２１により塞がれているため、そこに何かが巻き込まれる心配もない。
【００３４】
必要な位置に移動した後は、スイッチ手段３８をロックにする。そうするとモータ３７の回転で回転軸２４が回転してスライダ２７、２８が互いに近接し、スライダ２７、２８のテーパ２７ａ、２８ａがフランジ２９のテーパ２９ａに対して摺動しながらフランジ２９を押し下げる。そしてフランジ２９の下面が車輪９の上端に当接して車輪９がロックされる。
【００３５】
フランジ２９が筒体３０の全周に形成されているため、車輪９が垂直軸１３の回りのどの位置にあってもフランジ２９は車輪９の上端に当接し、車輪９をロックすることができる。
【００３６】
以上のように車輪９のロック及び解除を行うためのスイッチ手段３８をスタンド装置１の上方にある手押しハンドル８に設けたため、操作者が不衛生なベース２に触れるおそれがなく衛生的である。
【００３７】
尚、モータ３７の故障や停電等の緊急時の場合は、操作者は手動ノブ２３を手で回して車輪９のロック及び解除を行う。手動ノブ２３を回すとベベルギア３５を介して手動で回転軸２４を回転させてスライダ２７、２８を移動させることができる。手動ノブ２３はベース２近くの不衛生領域にあるがこの場合は緊急事態のため仕方ない。操作後に十分に手を消毒する。
【００３８】
以上の説明では、車輪９を垂直軸１３からオフセットした位置で公転させる例を示したが、オフセットさせずに垂直軸１３を中心に公転させても良い。
【００３９】
筒体３０を板バネ３１で常時上方へ付勢し、必要時のみスライダ２７、２８の動きでフランジ２９を押し下げる例を示したが、これに限定されずフランジ２９をモータ３７の駆動力で直接上下動させても良い。
【００４０】
スライダ２７、２８のテーパ２７ａ、２８ａと、フランジ２９のテーパ２９ａは逆向きにしても良い。つまりスライダ２７、２８の離反時にフランジ２９を押し下げるようにしても良い。
【００４１】
スイッチ手段３８を手押しハンドル８に付ける例を示したが、これに限定されず、ベース２よりも上方のスタンド装置１の衛生領域であれば、どこに設定しても良い。
【符号の説明】
【００４２】
１  スタンド装置
２  ベース
８  手押しハンドル
９  車輪
１３  垂直軸
２２  ロック手段
２３  手動ノブ（手動手段）
２４  回転軸（電動手段）
２７、２８  スライダ
２７ａ、２８ａ  テーパ
２９  フランジ
２９ａ  テーパ
３０  筒体
３１  板バネ（付勢手段）
３７  モータ（電動手段）
３８  スイッチ手段
Ｆ  進行方法
Ｓ  隙間
【図１】
2017202698.tif 000003
【図２】
2017202698.tif 000004
【図３】
2017202698.tif 000005
【図４】
2017202698.tif 000006
【図５】
2017202698.tif 000007
【図６】
2017202698.tif 000008
【図７】
2017202698.tif 000009